(57)【要約】【課題】食器等の洗浄および乾燥を行う食器洗い機において、少ない光源で効率よく透明部または半透明部からの可視部を照らし、照明装置のコストを安価にするとともに、照明装置が照射する電力量を小さくした食器洗い機を実現する。【解決手段】洗浄槽９内部を照らす照明装置１７を備え、扉体（上扉体１１、下扉体１２）の一部に洗浄槽９内部を視認可能とする透明部または半透明部１５を設けるとともに、照明装置１７は透明部または半透明部１５に対して略平行に光を照射するよう構成する。【選択図】図１
2006288777.tif 000002
【特許請求の範囲】
【請求項１】
前面に開口部を有する洗浄槽と、前記開口部を開閉する扉体と、前記洗浄槽内に設けられ前記洗浄槽内部を照らす照明装置とを備え、前記扉体の一部に前記洗浄槽内部を視認可能とする透明部または半透明部を設けるとともに、前記照明装置は前記透明部または半透明部に対して略平行に光を照射するよう構成した食器洗い機。
【請求項２】
照明装置は、洗浄槽の側面または側面近傍に配設した請求項１記載の食器洗い機。
【請求項３】
洗浄槽内の底部に、洗剤液を霧化する霧化装置を配設した請求項１または２記載の食器洗い機。
【請求項４】
照明装置は、霧化装置の上方に配設した請求項３記載の食器洗い機。
【請求項５】
照明装置は、霧化装置が動作中のみ点灯可能とした請求項３または４に記載の食器洗い機。
【発明の詳細な説明】
【技術分野】
【０００１】
本発明は食器等の洗浄および乾燥を行う食器洗い機に関するものである。
【背景技術】
【０００２】
従来、この種の食器洗い機は、図３に示すように構成していた。以下、その構成について説明する。図３において、食器洗い機本体１内に、食器類２を収容する洗浄槽３は前面に開口部４を有し、この開口部４を上扉体と下扉体とに上下に分割された扉体５により開閉するとともに、洗浄槽３の底部に洗浄水を噴射する洗浄ノズル６を回転自在に配設している（例えば、特許文献１参照）。
【０００３】
食器洗い機の基本的な動作は、一般的によく知られているので、以下に簡単に述べると、使用者が扉体５を開放し、食器洗い機本体１内の洗浄槽３に配置された食器かごに汚れた食器類２をセットする。
【０００４】
つぎに、扉体５を閉め、運転を開始すると、洗浄槽３の底部に配置されたヒータ（図示なし）によって洗浄水を加熱しながら、洗浄ノズル６から食器類２に向かって洗浄水を噴射し、食器類２の汚れを落とす洗浄行程を行う。その後、食器類２をすすいだ後、乾燥行程を行って運転を終了する。
【特許文献１】特開２００１−２７５９１５号公報
【発明の開示】
【発明が解決しようとする課題】
【０００５】
しかしながら、このような従来の構成では、扉体を閉めた状態では洗浄槽内部の状態が判別しづらく、運転行程が洗浄であるか、すすぎであるかの区別を何らかの方法で表示しなければならなかった。また、洗浄中の食器類の洗浄が充分に行われているかの確認を、運転途中で一時停止して、扉体を開いて確認する必要があるため、非常に煩わしい作業となっていた。
【０００６】
また、内部の様子がわかるよう、扉体に透明または半透明部を構成することが考えられるが、このような構成とした場合、内部の様子が必要以上に見えてしまい、最初の洗浄行程中に食器類の汚染が大量に溶けた非常に汚い洗浄水を循環させたものまで見えてしまい、不快感を与えるという課題を有していた。また、汚染水を見えにくくするために半透明にすれば、目的の内部の様子まで見えにくくなる。
【０００７】
そこで、照明装置により内部を照射することで、必要なときに内部の様子が分かるよう点灯することが考えられるが、この場合、局部的では問題ないが、洗浄槽内をできるだけ広い範囲で見えるようにするためには、透明部または半透明部を大きくする必要があり、ランプを透明部または半透明部と略垂直方向に照射すると、可視部全体が照らされるように複数個のランプを複数の場所に分けて設置するか、１つの場所でも全体が照射されるだけの大きなランプが必要となるため、コストがかかるとともに、ランニングコストがそれだけ多くなるという課題を有していた。
【０００８】
本発明は、上記従来の課題を解決するもので、少ない光源で効率よく透明部または半透明部からの洗浄槽内の可視部を照らし、照明装置のコストを安価にするとともに、照明装置が照射する電力量を小さくすることを目的としている。
【課題を解決するための手段】
【０００９】
本発明は上記目的を達成するために、前面に開口部を有する洗浄槽と、前記開口部を開閉する扉体と、前記洗浄槽内に設けられ前記洗浄槽内部を照らす照明装置とを備え、前記扉体の一部に前記洗浄槽内部を視認可能とする透明部または半透明部を設けるとともに、前記照明装置は前記透明部または半透明部に対して略平行に光を照射するよう構成したものである。
【発明の効果】
【００１０】
本発明の食器洗い機によれば、前面に開口部を有する洗浄槽と、前記開口部を開閉する扉体と、前記洗浄槽内に設けられ前記洗浄槽内部を照らす照明装置とを備え、前記扉体の一部に前記洗浄槽内部を視認可能とする透明部または半透明部を設けるとともに、前記照明装置は前記透明部または半透明部に対して略平行に光を照射するよう構成したから、少ない光源で効率よく透明部または半透明部からの洗浄槽内の可視部を照らし、照明装置のコストを安価にするとともに、照明装置が照射する電力量を小さくすることができる。
【発明を実施するための最良の形態】
【００１１】
第１の発明は、前面に開口部を有する洗浄槽と、前記開口部を開閉する扉体と、前記洗浄槽内に設けられ前記洗浄槽内部を照らす照明装置とを備え、前記扉体の一部に前記洗浄槽内部を視認可能とする透明部または半透明部を設けるとともに、前記照明装置は前記透明部または半透明部に対して略平行に光を照射するよう構成したことにより、少ない光源で効率よく透明部または半透明部からの洗浄槽内の可視部を照らし、ランプ装置のコストを安価にするとともに、ランプを照射する電力量を小さくすることができる。
【００１２】
第２の発明は、照明装置は、洗浄槽の側面または側面近傍に配設したことにより、ランプは透明部または半透明部に略平行に照射することができる。
【００１３】
第３の発明は、洗浄槽内の底部に、洗剤液を霧化する霧化装置を配設したことにより、扉体の一部を透明または半透明としても照明なしでは見えにくい洗浄槽内部の洗浄液の霧の様子を容易に確認することができる。
【００１４】
第４の発明は、照明装置は、霧化装置の上方に配設したことにより、霧化装置による洗浄液の霧が洗浄槽底部から上昇し、洗浄槽内に充満する様子をより見やすくすることができる。
【００１５】
第５の発明は、照明装置は、霧化装置が動作中のみ点灯可能としたことにより、霧化行程後に行われる洗浄行程中に食器類の汚染が大量に溶けた非常に汚い洗浄水が見えて不快感を与えることを防止することができる。
【００１６】
以下、本発明の実施の形態について、図面を参照しながら説明する。
【００１７】
（実施の形態１）
図１は、本発明の第１の実施の形態における食器洗い機の側断面図、図２は同食器洗い機の正面図である。図１、図２において、食器洗い機本体７内に、食器類８を収容する洗浄槽９は前面に開口部１０を有し、この開口部１０を上扉体１１と下扉体１２とに上下に分割された扉体により開閉するよう構成している。
【００１８】
洗浄槽９内の底部には洗浄水を噴射する洗浄ノズル１３を回転自在に配設するとともに、例えば超音波振動子を振動させる等の手段により洗浄水を霧化する霧化装置１４を設けている。上扉体１１と下扉体１２はいずれも横長の略長方形をなし、上扉体１１には洗浄槽９内部を視認可能とする透明部または半透明部１５を同様に横長の略長方形に構成している。
【００１９】
また、洗浄槽９の側面近傍の上面１６に洗浄槽９内部を照らす照明装置１７を配設している。照明装置１７は洗浄槽９の上面１６の一部に穴を設け、上面から下方に洗浄槽９内に突出する透明カバー部１８と、光源になるランプ１９を有し、ランプ１９は透明カバー部１８を介し、洗浄槽９内部に突出した位置から透明部または半透明部１５に対して略平行に、すなわち透明部または半透明部１５の長手方向であり、正面から見て左右方向に光を照射するよう構成している。
【００２０】
また、照明装置１７は霧化装置１４の電源と連動させて、霧化装置１４が運転中のみ同時にランプ１９を照射するよう構成している。
【００２１】
上記の構成において、動作、作用を説明すると、使用者が扉体（上扉体１１、下扉体１２）を開放し、食器洗い機本体７内の洗浄槽９に配置された食器かごに汚れた食器類８をセットする。
【００２２】
つぎに、洗剤を霧化装置１４に入れ、扉体（上扉体１１、下扉体１２）を閉め、運転を開始すると、まず、洗剤の含まれる洗浄水が霧化装置１４によって霧化される霧化行程により、食器類８に洗剤液を付着させて汚れを食器類８から浮き上がらせ、その行程の後、洗浄槽９の底部に配置されたヒータ（図示なし）によって洗浄水を加熱しながら、洗浄ノズル１３から食器類８に向かって洗浄水を噴射し、食器類８の汚れを洗い落とす洗浄行程を行う。その後、食器類８をすすいだ後、乾燥行程を行って運転を終了する。
【００２３】
この霧化行程において、霧化装置１４の運転に合わせて照明装置１７のランプ１９が点灯し食器類８を照射する。このとき、照明装置１７のランプ１９からの光は、洗浄槽９の側面近傍から、上扉体１１に設けた横長の略長方形の透明部または半透明部１５に略平行に照射するよう構成してあるため、透明部または半透明部１５の横長の左右方向の端から端までを照らすことができる。よって、ただ１個の少ない光源で効率よく透明部または半透明部１５からの洗浄槽９内の可視部を照らし、照明装置１７のコストを安価にするとともに、ランプ１９ひいては照明装置１７が照射する電力量を小さくすることができる。
【００２４】
なお、本実施の形態では上扉体１１の透明部または半透明部１５を横長の略長方形としたが、縦長の略長方形にした場合、ランプも同様に縦方向に略平行に照射することで、同様の効果が得られる。また、照明装置１７によって洗浄槽９内部が照らされることで、半透明では見えにくい洗浄液の霧の様子を容易に確認することができる。
【００２５】
なお、完全な透明の場合でも外部からの光が透明部または半透明部１５で反射することによって洗浄槽９内部が見えにくくなるため、照明装置１７によって洗浄槽９内部が照らされることで、同様の効果が得られる。
【００２６】
また、洗浄槽９底部に配設した霧化装置１４に対して、照明装置１７を洗浄槽９上面に配設しているため、霧化装置１４による洗浄液の霧が洗浄槽９内の底部から上昇し、洗浄槽９内を充満する様子がより見やすくすることができる。
【００２７】
また、照明装置１７は霧化行程のみ点灯させるよう構成しているため、不意に洗浄行程中に照明装置１７が作動し、食器類８の汚染が大量に溶けた非常に汚い洗浄水が見えて不快感を与えることを防止することができる。なお、照明装置１７の点灯の入り切りはユーザが容易に変更できるよう、スイッチを付加すればより使い勝手はよくなる。
【００２８】
このように本実施の形態によれば、前面に開口部を有する洗浄槽と、前記開口部を開閉する扉体と、前記洗浄槽内に設けられ前記洗浄槽内部を照らす照明装置とを備え、前記扉体の一部に前記洗浄槽内部を視認可能とする透明部または半透明部を設けるとともに、前記照明装置は前記透明部または半透明部に対して略平行に光を照射するよう構成したことにより、少ない光源で効率よく透明部または半透明部からの洗浄槽内の可視部を照らし、照明装置のコストを安価にするとともに、照明装置が照射する電力量を小さくすることができる。
【００２９】
また、照明装置は、洗浄槽の側面または側面近傍に配設したことにより、ランプは透明部または半透明部に略平行に照射することができる。
【００３０】
また、洗浄槽の底部に、洗剤液を霧化する霧化装置を配設したことにより、半透明としても照明なしでは見えにくい洗浄液の霧の様子を容易に確認することができる。
【００３１】
また、照明装置は、霧化装置の上方に配設したことにより、霧化装置による洗浄液の霧が洗浄槽底部から上昇し、洗浄槽内を充満する様子がより見やすくすることができる。
【００３２】
また、照明装置は、霧化装置が動作中のみ点灯可能としたことにより、霧化行程後に行われる洗浄行程中に食器類の汚染が大量に溶けた非常に汚い洗浄水が見えて不快感を与えることを防止することができる。
【産業上の利用可能性】
【００３３】
以上のように、本発明にかかる食器洗い機は、少ない光源で効率よく透明部または半透明部からの洗浄槽内の可視部を照らし、必要なときに洗浄槽内部の様子が視認可能となるので、扉体の一部に洗浄槽内部を視認可能とする透明部または半透明部を設けた食器洗い機等として有用である。
【図面の簡単な説明】
【００３４】
【図１】本発明の実施の形態１の食器洗い機の側断面図
【図２】同食器洗い機の正面図
【図３】従来の食器洗い機の側断面図
【符号の説明】
【００３５】
９  洗浄槽
１１  上扉体（扉体）
１２  下扉体（扉体）
１４  霧化装置
１５  透明部または半透明部
１７  照明装置
【図１】
2006288777.tif 000003
【図２】
2006288777.tif 000004
【図３】
2006288777.tif 000005